(57)【要約】【課題】本発明は、ウェブログポータルサイト及び関連するウェブログ顧客サイトにて任意のキーワードや時事ニュースに関連付けて、ランキングやスレッドなどのコンテンツを表示する手段を設けることにより顧客からの要望に合せた話題のキーワードや時事ニュースのランキング表示を可能とするウェブログポータルサイト及びウェブログ顧客サイトへのコンテンツサービスシステムを提供することを目的とするものである。【解決手段】本発明は、設定した時間、または設定時間隔ごとに任意のキーワードをウェブ検索エンジン１１に自動入力し、ウェブ検索結果の第１位から任意順位までのサイトアドレス、サイトタイトルおよび要約テキストデータをデータベース１２に格納し、前記ウェブログポータルサイト１５及び該ウェブログポータルサイト１５に関連するウェブログ顧客サイト１６にて前記データベース１２のキーワードや時事ニュースに関連付けてのランキング、あるいはスレッドのコンテンツを表示する手段を有する。【選択図】図１
2007334803.tif 000002
【特許請求の範囲】
【請求項１】
ウェブログポータルサイト及び、該ウェブログポータルサイトに関連するウェブログ顧客サイトにて任意のキーワードや時事ニュースに関連付けてのランキング、あるいはスレッドのコンテンツを表示するウェブログポータルサイト及びウェブログ顧客サイトへのコンテンツサービスシステムであって、
設定した時間、または設定時間隔ごとに任意のキーワードをウェブ検索エンジンに自動入力し、ウェブ検索結果の第１位から任意順位までのサイトアドレス、サイトタイトルおよび要約テキストデータをデータベースに格納する検索手段と、
前記データベースの同じ任意のキーワードの第１位から任意順位までのサイト情報を順位別にウェブログのエントリーに書き込み、同じ任意のキーワードを持つウェブログのエントリーを自動相互リンクし、また別の任意のキーワードに関しては選択したキーワードの組合せを設定後、自動相互リンクしてウェブログサイトおよび任意のウェブログポータルサイトに集束する手段と、
前記ウェブログポータルサイト及び該ウェブログポータルサイトに関連するウェブログ顧客サイトにて前記データベースのキーワードや時事ニュースに関連付けてのランキング、あるいはスレッドのコンテンツを表示する手段を有する
ことを特徴とするウェブログポータルサイト及びウェブログ顧客サイトへのコンテンツサービスシステム。
【請求項２】
前記設定した時間、または設定時間隔ごとに任意のキーワードをウェブ検索エンジンに自動入力する際に、任意のキーワード設定を変更、あるいは追加する手段を有する
ことを特徴とする請求項１記載のウェブログポータルサイト及びウェブログ顧客サイトへのコンテンツサービスシステム。
【請求項３】
前記データベースの同じ任意のキーワードの第１位から任意順位までのサイト情報をウェブログのエントリーに書き込む際に、前記データベースより抽出する情報を選択、削除または追加する手段を有する
ことを特徴とする請求項１または２記載のウェブログポータルサイト及びウェブログ顧客サイトへのコンテンツサービスシステム。
【請求項４】
前記同じ任意のキーワードを持つウェブログのエントリーを自動相互リンクし、また別の任意のキーワードに関しては、選択したキーワードの組合わせを設定後、自動相互リンクし、ウェブログのサイト内の全てのリンクを選択、削除または追加する手段を有する
ことを特徴とする請求項１、２または３記載のウェブログポータルサイト及びウェブログ顧客サイトへのコンテンツサービスシステム。
【請求項５】
前記ウェブログのサイト内の全てのリンクを任意のウェブログポータルサイト及び該ウェブログポータルサイトに関連するウェブログ顧客サイトに集束し、前記ウェブログポータルサイト及び該ウェブログポータルサイトにて前記データベースのキーワードや時事ニュースに関連付けて、ランキングあるいはスレッドのコンテンツに反映する情報を選択、削除または追加する手段を有する
ことを特徴とする請求項１、２、３または４記載のウェブログポータルサイト及びウェブログ顧客サイトへのコンテンツサービスシステム。
【発明の詳細な説明】
【技術分野】
【０００１】
本発明は、ウェブログポータルサイト及びウェブログ顧客サイトへのコンテンツサービスシステムに関する。詳しくは、インターネット利用者による該当会社のウェブログポータルサイト及びウェブログ顧客サイトの利用時に、ウェブログポータルサイト及び関連するウェブログ顧客サイトにて任意のキーワードや時事ニュースに関連付けて、ランキングやスレッドなどのコンテンツサービスに係るものである。
【背景技術】
【０００２】
ウェブログは、主として個人のテキスト情報や画像、動画情報をウェブ上に公開することを目的とするインターネットアプリケーションサービスである。また、ウェブログを利用する個々の意見交換ができるソーシャルネットワーキングサービスでもある。このウェブログサービスはインターネット上のウェブログポータルサイトから無料登録できるサービスが多く、その顧客ウェブログを無料提供し、広告媒体として利用する事業者と、当該会社の顧客サービスの一環や、当該会社のマーケティングツールとして無料提供されるものがある。
【０００３】
また、大半のウェブログ顧客サイトの記事には時事のニュースや、他のウェブログ顧客サイトから発信された話題のキーワードやスレッドテーマに沿った記事が多く、そのウェブログサイトユーザーの記事内容は他のウェブログサイトユーザー記事との協調性がある。
【０００４】
【特許文献１】特開２００１−３１９１２９号公報
【発明の開示】
【発明が解決しようとする課題】
【０００５】
しかしながら一般的なウェブログサイトでは、任意のキーワードやスレッドテーマに対しての記事を頻繁に書き込む顧客が多く存在することから、ウェブ上での日々変化する話題のキーワードや、時事ニュースを検索するには、顧客がウェブサイトのサーチエンジンによって独自に検索する手段しかなく手間が顧客にかかる問題がある。
【０００６】
また、当該会社の顧客に合せた、当該会社の任意のキーワードでのマーケティングテストをウェブログ顧客サイトを利用して顧客の意見を得ることは、ウェブログサイトユーザーが当該会社のウェブログポータルサイトを訪れる頻度が異なることから、顧客に記事作成を同時に促すことになる問題が生じる。
【０００７】
本発明は、以上の点に鑑みて創案されたものであって、ウェブログポータルサイト及び関連するウェブログ顧客サイトにて任意のキーワードや時事ニュースに関連付けて、ランキングやスレッドなどのコンテンツを表示する手段を設けることにより顧客からの要望に合せた話題のキーワードや時事ニュースのランキング表示を可能とするウェブログポータルサイト及びウェブログ顧客サイトへのコンテンツサービスシステムを提供することを目的とするものである。
【課題を解決するための手段】
【０００８】
上記の目的を達成するために、本発明に係るウェブログポータルサイト及びウェブログ顧客サイトへのコンテンツサービスシステムは、ウェブログポータルサイト及び、該ウェブログポータルサイトに関連するウェブログ顧客サイトにて任意のキーワードや時事ニュースに関連付けてのランキング、あるいはスレッドのコンテンツを表示するウェブログポータルサイト及びウェブログ顧客サイトへのコンテンツサービスシステムであって、設定した時間、または設定時間隔ごとに任意のキーワードをウェブ検索エンジンに自動入力し、ウェブ検索結果の第１位から任意順位までのサイトアドレス、サイトタイトルおよび要約テキストデータをデータベースに格納する検索手段と、前記データベースの同じ任意のキーワードの第１位から任意順位までのサイト情報を順位別にウェブログのエントリーに書き込み、同じ任意のキーワードを持つウェブログのエントリーを自動相互リンクし、また別の任意のキーワードに関しては選択したキーワードの組合せを設定後、自動相互リンクしてウェブログサイトおよび任意のウェブログポータルサイトに集束する手段と、前記ウェブログポータルサイト及び該ウェブログポータルサイトに関連するウェブログ顧客サイトにて前記データベースのキーワードや時事ニュースに関連付けてのランキング、あるいはスレッドのコンテンツを表示する手段を有する。
【０００９】
ここで、前記データベースの同じ任意のキーワードの第１位から任意順位までのサイト情報を順位別にウェブログのエントリーに書き込みを行い、同じ任意のキーワードを持つウェブログのエントリーを自動相互リンクし、また別の任意のキーワードに関しては、選択したキーワードの組み合わせを設定後、自動相互リンクし、ウェブログサイト及び、全ての情報を任意のウェブログポータルサイト及び関連するウェブログ顧客サイトに集束するプログラムおよび前記ウェブログポータルサイト及び関連するウェブログ顧客サイトにて任意のキーワードや時事ニュースに関連付けて、ランキングまたはスレッドのコンテンツに反映するプログラムを有することによって顧客はウェブ上での日々変化する話題のキーワードや時事ニュースを検索する手間を軽減することが可能となる。
【００１０】
また、前記設定した時間、または設定時間隔ごとに任意のキーワードをウェブ検索エンジンに自動入力する際に、任意のキーワード設定を変更、あるいは追加する手段を有することにより、時事に合せたキーワードや該当会社のイメージに沿ったキーワードに関するコンテンツサービスを前記ウェブログポータルサイト及び関連するウェブログ顧客サイトにて行うことが可能となる。
【発明の効果】
【００１１】
本発明のウェブログポータルサイト及びウェブログ顧客サイトへのコンテンツサービスシステムでは、当該会社の顧客に合せた当該会社の任意のキーワードでのマーケティングテストを当該会社ウェブログポータルサイト内および当該会社のウェブログを利用している顧客のウェブログサイト内を利用して行うことが可能となるために、ウェブログポータルサイトを訪れる頻度が異なる顧客の意見も得る可能性が高くなり、当該会社のマーケティング市場を当該会社ウェブログポータルサイト内および当該会社のウェブログを利用している顧客のウェブログ内に有することが可能となる。
【００１２】
また、気になる検索キーワードランキングや気になる話題などのランキングなどのコンテンツサービスを行うことにより、顧客は当該会社の任意のキーワードを利用したコンテンツや時事の話題などのコンテンツを顧客自身のウェブログ顧客サイトを開くだけで得ることが可能になるために、ウェブログ顧客サイトに当該会社の任意のキーワードを利用した記事や、時事の話題などの記事が当該会社の顧客により書き込まれる可能性が高くなり、ウェブログポータルサイトおよび関連するウェブログ顧客サイトへの時事及び任意のキーワードに関するコンテンツサービスは顧客の記事書き込みにより、より知が集合したコンテンツサービスを行うことが可能となる。
【００１３】
また、検索エンジンの検索結果ページから当該会社ウェブログポータルサイト及び関連するウェブログ顧客サイトを訪れる人は当該会社に関心を持っている可能性が高いため、優良な見込み客である可能性が高い。更に、検索エンジンに表示されるウェブログポータルサイト及び関連するウェブログ顧客サイトを広告媒体として積極的に活用するマーケティング活動を行うことが可能となる。
【発明を実施するための最良の形態】
【００１４】
以下、本発明の実施の形態を図面を参酌しながら説明し、本発明の理解に供する。
図１は、本発明を適用したウェブログポータルサイト及びウェブログ顧客サイトへのコンテンツサービスシステム（以下、「本システム」と称呼する。）の一例を説明するためのシステム概念図である。
【００１５】
ここで示す本システムは、当該会社の顧客の要望に合せた任意のキーワード１０と、グーグル、ヤフーなどの任意のウェブ検索エンジン１１と、該ウェブ検索エンジン１１によって検索されるランキング第１位から任意の順位までのデータを格納するデータベース１２と、任意のキーワードごとに検索された記事（エントリー）が書き込まれるウェブログの各エントリー１３と、ウェブログサイト１４と、ウェブログポータルサイト１５と、顧客ウェブログサイト１６とから構成される。
【００１６】
そこで前記任意のキーワード１０が前記ウェブ検索エンジン１１に入力された場合に、ウェブ上において、検索順位第１位から任意の順位までのサイトタイトルデータ、要約テキストデータおよびサイトアドレスデータが前記データベース１２に格納される。そして各データを順位別に前記ウェブログの各エントリー１３に自動書き込みを行い、同じ任意のキーワードを持つウェブログの各エントリー１３を自動相互リンクし、また別の任意のキーワードに関しては、選択したキーワードの組合せを設定後、自動相互リンクし、前記ウェブログサイト１４および全ての情報を任意のウェブログポータルサイト１５および関連する顧客ウェブログサイト１６にて任意のキーワードや時事ニュースに関連付けてランキングやスレッドなどのコンテンツサービスを行うことが可能となる。
【００１７】
次に、図２に本システムの複数キーワード検索に対応したプログラムへの入力工程を示す。
当該会社の顧客に合せた、任意のキーワードの入力を巡回時間の間隔の設定およびウェブ検索エンジンの自動入力に設定し、ウェブ検索結果の１位から任意の順位までのサイトアドレス、サイトタイトルおよび要約テキストの各データをデータベースに格納する。
【００１８】
ここで、前記データベースに格納された任意のキーワードの１位〜任意の順位までのサイト情報および別の任意のキーワードに関して選択したキーワードの組合せの選択、追加、変更、削除をパーソナルコンピュター（以下「ＰＣ」と称呼する。）によって自在に行うことが可能となる。
【００１９】
そして、前記データベースの同じ任意のキーワードの１位〜任意の順位までのサイト情報を順位別にウェブログの記事（エントリー）への自動書き込みできるように設定される。
また、同じ任意のキーワードを持つウェブログの記事（エントリー）を自動相互リンクし、また別の任意のキーワードに関しては、選択したキーワードの組合せを設定した後に自動相互リンクし、ウェブログサイトおよび全ての情報を任意のウェブログポータルサイトおよび関連するウェブログ顧客サイトに集束し、コンテンツとして格納するプログラムが稼動する。
【００２０】
このような構成の本発明のウェブログポータルサイト及びウェブログ顧客サイトへのコンテンツサービスシステムでは、当該会社のウェブログポータルサイト内および当該会社のウェブログを利用しているウェブログ顧客サイト内に、前記ウェブログの各エントリーへの自動書き込みにより任意のキーワードの１位〜任意の順位が表示される気になる検索キーワードランキングや気になる話題などのランキングなどのコンテンツサービスを行うことが可能となる。
【００２１】
したがって、当該会社のウェブログポータルサイトに関連するウェブログ顧客サイト内に気になる検索キーワードランキングや気になる話題などのランキングサービスを行うことが可能となるために、顧客はウェブ上での日々変化する話題のキーワードや時事ニュースを検索する手間を軽減することが可能となる。
【００２２】
また、任意のキーワードをウェブ検索エンジンに自動入力する際に、顧客からの時事に合せた関心のあるキーワードを想定し、これに基づいて任意のキーワード設定を変更、追加することができるために、顧客からの要望に合せたコンテンツサービスが可能となる。
【００２３】
また、ウェブログのサイト内の全てのリンクを任意のウェブログポータルサイトおよび関連するウェブログ顧客サイトに集束するプログラム、更には前記ウェブログポータルサイトおよび関連するウェブログ顧客サイトにて任意のキーワードや時事ニュースに関連付けて、ランキングやスレッドなどのコンテンツに反映するプログラムを有することにより、当該会社のウェブログ顧客サイトを持つ顧客によるコメントやリンクを関連付けて、さらなるネットワークの拡大を生み、その全てのリンクを集束する前記ウェブログポータルサイト及び関連するウェブログ顧客サイトは、顧客からの任意の複数キーワードへの記事書き込みにより、ウェブログポータルサイト及びウェブログ顧客サイトが前記複数キーワードのウェブ検索エンジンを利用した結果の上位にサイト表示されることも可能となる。
【図面の簡単な説明】
【００２４】
【図１】本発明を適用したウェブログポータルサイト及びウェブログ顧客サイトへのコンテンツサービスシステムの一例を説明するためのシステム概念図である。
【図２】本発明を適用したウェブログポータルサイト及びウェブログ顧客サイトへのコンテンツサービスシステムにおける複数キーワード検索に対応したプログラムへの入力工程を示す説明図である。
【符号の説明】
【００２５】
１０    任意のキーワード
１１    ウェブ検索エンジン
１２    データベース
１３    ウェブログの各エントリー
１４    ウェブログサイト
１５    ウェブログポータルサイト
１６    ウェブログ顧客サイト
【図１】
2007334803.tif 000003
【図２】
2007334803.tif 000004